(57)【要約】【課題】サムネイル画像を効果的に作成し、サムネイル画像の作成労力の低減および作成時間の短縮を図ること。【解決手段】カメラ１は、撮影された複数の動画フレームと各動画フレームの撮影時刻に関連するフレーム撮影時刻情報とを含む動画情報を記憶する動画情報記憶部２７と、動画の撮影期間中に取得された複数の静止画像と各静止画像の取得時刻に関連する静止画取得時刻情報とを含む静止画情報を記憶する静止画情報記憶部２９とを備える。【選択図】図４
2009071464.tif 000002
【特許請求の範囲】
【請求項１】
撮影された動画の複数のフレームと各フレームの撮影時刻に関連するフレーム撮影時刻情報とを含む動画情報を記憶する動画情報記憶部と、
前記動画の撮影期間中に取得された複数の静止画像と各静止画像の取得時刻に関連する静止画取得時刻情報とを含む静止画情報を記憶する静止画情報記憶部と
を備えるカメラ。
【請求項２】
前記動画情報記憶部に記憶されている動画情報を再生して表示する動画再生手段と、
該動画再生手段により再生されている動画情報においてフレームを指定させるフレーム指定手段と、
該フレーム指定手段により指定されたフレームの撮影時刻に最も近い取得時刻の静止画像を選択する静止画像選択手段と
を備える請求項１に記載のカメラ。
【請求項３】
選択された静止画像のサムネイル画像を生成するサムネイル画像生成手段を備える請求項２に記載のカメラ。
【請求項４】
前記フレーム撮影時刻情報が、撮影開始時刻と、動画用フレームレートと、各フレームのフレームカウント数とを含む請求項１から請求項３のいずれかに記載のカメラ。
【請求項５】
前記静止画取得時刻情報が、取得開始時刻と、静止画用フレームレートと、各静止画のカウント数とを含む請求項１から請求項４のいずれかに記載のカメラ。
【請求項６】
前記フレーム撮影時刻情報が、撮影開始からの経過時間と、動画用フレームレートと、各フレームのフレームカウント数とを含み、
前記静止画取得時刻情報が、動画の撮影開始からの経過時間と、静止画用フレームレートと、各静止画のカウント数とを含む請求項１から請求項３のいずれかに記載のカメラ。
【請求項７】
被写体の像を撮影して動画情報を生成する動画用撮像素子と、
被写体の像を撮影して静止画情報を生成する静止画用撮像素子とを備え、
動画用フレームレートが静止画用フレームレートの整数倍である請求項５または請求項６に記載のカメラ。
【発明の詳細な説明】
【技術分野】
【０００１】
本発明は、カメラに関するものである。
【背景技術】
【０００２】
従来、複数の撮像素子を備えたディジタルカメラが知られている（特許文献１および特許文献２参照）。
特許文献１に記載のディジタルカメラによれば、メイン固体撮像素子とそれよりも画素数が少なくかつ高いフレームレートでの動作が可能なサブ固体撮像素子とを備え、サブ固体撮像素子によりオートフォーカス処理や簡易画像表示を実行した後、これにより得られた撮影パラメータを基にメイン固体撮像素子による撮影が行なわれるようになっている。
また、特許文献２に記載のディジタルカメラによれば、第１および第２の撮像素子を備え、これら第１および第２の撮像素子からの映像信号に基づいて、第１および第２の画像データ、すなわち、通常サイズの画像データとサムネイルサイズの画像データとをほぼ同時に生成することができるようになっている。
【０００３】
すなわち、これら特許文献１および特許文献２のディジタルカメラにおいては、静止画撮影に使用する撮像素子以外の撮像素子、すなわち、上記特許文献１のサブ固体撮像素子や上記特許文献２の第２の撮像素子により取得された画像情報は、サムネイル画像作成用、ＪＰＥＧ圧縮処理用あるいは画像処理用等にフィードバックされるようになっている。  そして、静止画像ごとにサムネイル画像を作成し、連写撮影のように複数取得した撮影画像から任意の静止画像を選択する場合に、サムネイル画像を選択することにより対応する所望の静止画像を選択するようになっている。なお、サムネイル画像とは、取得された静止画像を一覧表示するために作成される縮小された画像をいう。
【特許文献１】特開２００１−３４６０９５号公報
【特許文献２】特開２００５−３４１１３６号公報
【発明の開示】
【発明が解決しようとする課題】
【０００４】
しかしながら、高速撮影可能なイメージセンサで数十枚／秒で連写するような連写撮影においては、例え１秒間連写しただけでも数十枚の画像情報が記憶装置に記憶される。このような連続する多量の画像情報から任意の静止画像を選択する場合、特許文献１および特許文献２のような従来のディジタルカメラで採用されているようなサムネイル画像を用いた選択方法では、最終的に選択される静止画像以外に大量のサムネイル画像を作成する必要がある。そのため、使用しないサムネイル画像の作成にかかる無駄な労力が必要になるとともに、サムネイル画像の作成に費やす時間が多く必要になるという問題があった。
【０００５】
本発明は、このような事情に鑑みてなされたものであって、サムネイル画像を効果的に作成し、サムネイル画像の作成労力の低減および作成時間の短縮を図ることができるディジタルカメラを提供することを目的とする。
【課題を解決するための手段】
【０００６】
上記課題を解決するために、本発明は以下の手段を採用する。
本発明は、撮影された動画の複数のフレームと各フレームの撮影時刻に関連するフレーム撮影時刻情報とを含む動画情報を記憶する動画情報記憶部と、前記動画の撮影期間中に取得された複数の静止画像と各静止画像の取得時刻に関連する静止画取得時刻情報とを含む静止画情報を記憶する静止画情報記憶部とを備えるカメラ提供する。
【０００７】
本発明によれば、動画情報記憶部に記憶された動画情報および静止画情報記憶部に記憶された静止画情報が時刻に関連する情報を含んでいるので、動画情報に含まれる複数のフレームと静止画情報に含まれる静止画像とを、フレームの撮影時刻と静止画像の取得時刻との関係において関連付けることができる。
【０００８】
すなわち、各静止画像が動画の撮影期間中に取得されているので、フレーム撮影時刻情報と静止画取得時刻情報とが近似すれば、撮影シーンにおいても動画のフレームと静止画像とが近似する可能性が高い。したがって、動画のフレームを選択することにより、そのフレームの撮影シーンに近似する静止画像を選択することが可能になる。
【０００９】
その結果、従来のように、静止画像を選択するためのサムネイル画像が必要ないので、最終的に選択された静止画像についてのみサムネイル画像を作成すればよく、使用しないサムネイル画像の作成にかかる労力と時間とを省くことができる。すなわち、従来すべての画像についてサムネイル画像を作成していたのと比較して、サムネイル画像の作成労力の低減と作成時間の短縮を図ることができる。
なお、フレーム撮影時刻情報および静止画取得時刻情報とは、絶対的な時刻の他に、動画のフレームの撮影時刻と静止画像の取得時刻との相対的な時刻情報、すなわち、所定の時刻からの経過時間をいうものとする。
【００１０】
上記発明においては、前記動画情報記憶部に記憶されている動画情報を再生して表示する動画再生手段と、該動画再生手段により再生されている動画情報においてフレームを指定させるフレーム指定手段と、該フレーム指定手段により指定されたフレームの撮影時刻に最も近い取得時刻の静止画像を選択する静止画像選択手段とを備えることとしてもよい。
【００１１】
このように構成することで、フレーム指定手段により、動画再生手段によって再生されて表示されている動画情報のフレームを指定すると、静止画像選択手段により、動画情報記憶部に記憶されている動画情報のうち指定した動画情報のフレームの撮影時刻に最も近い取得時刻の静止画像が選択されるので、動画のフレームから所望の静止画像を選択することができる。
【００１２】
これにより、最終的に選択された静止画像についてのみサムネイル画像を作成すればよく、選択されない静止画像についてはサムネイル画像を作成する必要がないので、サムネイル画像の作成にかかる労力の低減と時間の短縮を図ることができる。
【００１３】
また、上記発明においては、選択された静止画像のサムネイル画像を生成するサムネイル画像生成手段を備えることとしてもよい。
このように構成することで、サムネイル画像生成手段により必要なサムネイル画像のみを作成することができる。また、動画のフレームと静止画像とが完全に一致しない場合であっても、所望の静止画像に対応するサムネイル画像のみを作成することができる。
【００１４】
また、上記発明においては、前記フレーム撮影時刻情報が、撮影開始時刻と、動画用フレームレートと、各フレームのフレームカウント数とを含むこととしてもよい。
このように構成することで、動画のフレームの撮影開始時刻と動画用フレームレートとに基づいて各フレームの撮影時刻を算出することができる。また、フレームごとに撮影時刻とフレームカウント数を対応付けることができる。
【００１５】
また、上記発明においては、前記静止画取得時刻情報が、取得開始時刻と、静止画用フレームレートと、各静止画のカウント数とを含むこととしてもよい。
このように構成することで、静止画像の取得時刻と静止画用フレームレートとに基づいて各静止画像の取得時刻を算出することができる。また、静止画像ごとに取得時刻と静止画のカウント数とを対応付けることができる。
【００１６】
また、上記発明においては、前記フレーム撮影時刻情報が、撮影開始からの経過時間と、動画用フレームレートと、各フレームのフレームカウント数とを含み、前記静止画取得時刻情報が、動画の撮影開始からの経過時間と、静止画用フレームレートと、各静止画のカウント数とを含むこととしてもよい。
【００１７】
このように構成することで、動画のフレームごとにフレームカウント数と撮影開始からの経過時間とを対応付けるとともに、静止画像ごとに静止画のカウント数と動画の撮影開始からの経過時間とを対応付けることができる。したがって、動画の撮影開始からの経過時間に近似する動画のフレームと静止画像とを、動画のフレームカウント数と静止画のカウント数に基づいて関連付けることができる。
【００１８】
また、上記発明においては、被写体の像を撮影して動画情報を生成する動画用撮像素子と、被写体の像を撮影して静止画情報を生成する静止画用撮像素子とを備え、動画用フレームレートが静止画用フレームレートの整数倍であることとしてもよい。
【００１９】
このように構成することで、動画情報と静止画情報とがそれぞれ別個の撮像素子により生成されるので、共通の撮像素子によりそれぞれを生成する場合のように、静止画像の取得時に連続する動画のフレームの撮影が途切れることがなく、各静止画像にほぼ完全に対応するフレームを記憶させることができる。この場合に、動画用フレームレートが静止画用フレームレートの整数倍であるので、動画用撮像素子による動画のフレームの撮影と静止画用撮像素子による静止画像の取得とを同期させるだけで、動画のフレームに静止画像を一致させることができる。
【発明の効果】
【００２０】
本発明によれば、サムネイル画像を効果的に作成して、サムネイル画像の作成労力の低減および作成時間の短縮を図ることができるという効果を奏する。
【発明を実施するための最良の形態】
【００２１】
〔第１の実施形態〕
以下、本発明の第１の実施形態に係るカメラについて、図面を参照して説明する。
本実施形態に係るカメラ１は、図１〜図３に示すように、略直方体形状に形成されたカメラ本体３と、該カメラ本体３の前面に設けられ、外部からの光を集めて被写体の像を結像させる撮像光学系５と、前記カメラ本体３の背面に設けられ、前記撮像光学系５により結像された被写体の像の画像情報や連写枚数などを表示するＬＣＤ等の表示部７と、ユーザが動画撮影のＯＮ／ＯＦＦの切換えや単写撮影モードと連写撮影モードとの切換え等を行なう操作部９と、カメラ本体３の上端面に設けられた電源ボタン１１およびシャッタボタン１３とを備えている。
【００２２】
カメラ本体３は、図４に示すように、前記撮像光学系５により結像された被写体の像を撮影して画像情報を取得するＣＣＤ等の撮像素子１５と、該撮像素子１５により取得された画像情報をγ補正、色分離および色マトリクス等の高画質化の画像処理を行う画像処理部１７と、該画像処理部１７により画像処理された画像情報を記憶する記憶部１９と、前記撮像光学系５、表示部７、撮像素子１５、画像処理部１７および記憶部１９を制御する制御部２１と、前記撮像素子１５による撮影時刻を計測するタイマ２３と、サムネイル画像を作成するサムネイル画像作成部（サムネイル画像生成手段）２５とを備えている。なお、サムネイル画像とは、撮影された画像を一覧表示するために作成される縮小された画像のことをいう。
【００２３】
撮像素子１５は、操作部９において設定される動画用のフレームレート（以下、単に「動画用フレームレート」という。）に基づいて、撮像光学系５を介して被写体の像を撮影し、画像情報として動画のフレームデータ（以下、単に「動画フレーム」という。）を取得するようになっている。
【００２４】
また、撮像素子１５は、シャッタボタン１３が押されると、動画フレームに替えて画像情報として静止画データ（以下、「静止画像」という。）を取得するようになっている。具体的には、撮像素子１５は、単写撮影モードにおいては、シャッタボタン１３が押されるごとに動画フレームの取得を一時中断して静止画像を取得し、連写撮影モードにおいては、シャッタボタン１３が押されている間、静止画用のフレームレート（以下、単に「静止画用フレームレート」という。）に基づいて、連写撮影ごとに動画フレームの取得を中断して複数の静止画像を取得するようになっている。
【００２５】
記憶部１９は、動画フレームを動画情報として記憶する動画情報記憶部２７と、単写撮影モードまたは連写撮影モードによる静止画像を静止画情報として記憶する静止画情報記憶部２９とを備えている。
【００２６】
動画情報記憶部２７は、操作部９の図示しない動画撮影ボタンがＯＮにされると、撮像素子１５により取得された動画フレームをタイマ２３によって計測された撮影時刻とともに入力して、その枚数（以下、「動画フレームカウント数」という。）を計数しながら記憶するようになっている。すなわち、動画情報記憶部２７は、各動画フレームを撮影時刻および動画フレームカウント数と関連付けて動画情報として記憶するようになっている。
【００２７】
また、動画情報記憶部２７は、複数の動画情報を撮影時刻順に記憶していく際に、撮像素子１５により静止画像が取得されたときは、空白の動画フレームを時刻とフレームカウント数と関連付けて動画情報として記憶するようになっている。なお、動画情報記憶部２７は、動画撮影ボタンがＯＦＦの状態においては、撮像素子１５により取得された動画フレームを記憶せずに順次表示部７に出力するようになっている。
【００２８】
静止画像記憶部１９は、動画撮影ボタンがＯＮの状態、すなわち、動画撮影中にシャッタボタン１３が押されると、撮像素子１５により取得された静止画像をタイマ２３により計測された取得時刻とともに入力して、その枚数（以下、「静止画カウント数」という。）を計数しながら記憶するようになっている。すなわち、静止画情報記憶部２９は、各静止画像を取得時刻および静止画カウント数と関連付けて静止画情報として記憶するようになっている。
【００２９】
制御部２１は、動画情報記憶部２７に記憶された動画情報の動画フレームカウント数および静止画情報記憶部２９に記憶された静止画情報の静止画カウント数を、動画フレームの撮影時刻と静止画像の取得時刻との関係において関連付けて記録テーブルに記録するようになっている。また、制御部２１は、操作部９の動画撮影ボタンがＯＮからＯＦＦに切り替えられると、動画フレームカウント数および静止画カウント数をリセットするようになっている。
【００３０】
また、制御部２１は、動画情報記憶部２７に記憶されている動画情報を順次表示部７に出力させて、表示部７において動画情報を再生、すなわち、動画フレームを連続表示させる機能（動画再生手段、以下「動画再生機能」という。）と、表示部７において再生されている動画フレームを操作部９においてユーザに指定させる機能（フレーム指定手段、以下「フレーム指定機能」という。）と、指定された動画フレームの撮影時刻に最も近い取得時刻の静止画像を静止画情報記憶部２９から選択する機能（静止画像選択手段、以下「静止画像選択機能」という。）とを兼ね備えている。
【００３１】
これにより、制御部２１の作動により、表示部７において再生されている動画フレームをユーザが見て気に入った撮影シーンの動画フレームを指定すると、指定した動画フレームの撮影時刻に最も近い取得時刻の静止画像が静止画像記憶部１９から選択されるようになっている。
【００３２】
サムネイル画像作成部２５は、静止画像記憶部１９に記憶されている静止画情報のうち、制御部２１の静止画像選択機能により選択された静止画像について、サムネイル画像を作成するようになっている。
操作部９は、動画撮影ボタンの他、単写撮影モードと連写撮影モードとの切換えや連写撮影枚数等の撮影条件等を設定する各種操作ボタンを備えている。
【００３３】
このように構成された本実施形態に係るカメラ１の作用について説明する。
本実施形態に係るカメラ１を起動させると、撮像光学系５により撮像素子１５の撮像面に結像される被写体の像が撮像素子１５によって撮影され、画像情報としての各フレームデータが撮像素子１５から画像処理部１７へ出力される。
【００３４】
画像処理部１７に入力された各フレームデータは、γ補正、色分離および色マトリクス等の画像処理により高画質化された後、記憶部１９を介して表示部７に送られる。表示部７においては、各フレームデータがフォーマット変換された後、例えば、１秒間に３０枚のフレームデータが連続表示されることにより動きのある画像として表示される。これにより、ユーザは被写体を撮像素子１５を介して表示部７に表示される画像によって見ることができる。
【００３５】
単写撮影モードにおいては、この状況でシャッタボタン１３が押されると、操作部９から制御部２１にシャッタ信号が出力され、制御部２１により適正露光になるように撮像光学系５および撮像素子１５等が制御されて、撮像素子１５により被写体の静止画像が取得される。撮像素子１５により取得された静止画像は、画像処理部１７により画像処理されて高画質化された後、記憶部１９の静止画情報記憶部２９に記憶されるとともに表示部７に送られて一時的に表示される。
【００３６】
次に、本実施形態に係るカメラ１の連写撮影時の動作を、図５に示すフローチャート図を用いて詳細に説明する。
操作部９において、連写撮影モードに切り替えられてフレームレートや連写撮影枚数等の連写撮影条件が入力されると、入力された連写撮影条件が操作部９から制御部２１に送られる。制御部２１においては、入力された連写撮影条件に基づいて撮像光学系５や撮像素子１５等が制御され、撮像素子１５により動画用フレームレートに基づいて動画フレームが順次取得されて、連写撮影モードの撮影が開始される（ステップＳＡ１）。また、制御部２１においては、動画フレームカウント数および静止画カウント数がリセットされる（ステップＳＡ２）。
【００３７】
続いて、操作部９の動画撮影ボタンがＯＮにされると、撮像素子１５により取得された動画フレームがタイマ２３により計測された撮影時刻とともに画像処理部１７を介して動画情報記憶部２７に順次入力される。また、動画情報記憶部２７においては、各動画フレームが入力されるごとに動画フレームカウント数が計数される。これにより、動画情報記憶部２７において、各動画フレームが撮影時刻および動画フレームカウント数と関連付けられて、動画情報としての記憶が開始される（ステップＳＡ３）。
【００３８】
この状況でシャッタボタン１３が押されると、撮像素子１５において動画フレームから静止画像の取得に切り替えられ、シャッタボタン１３が押されている間、連写撮影ごとに静止画用フレームレートに基づいて被写体の像が撮影されて、複数の静止画像が取得される（ステップＳＡ４）。
【００３９】
撮像素子１５により取得された各静止画像は、タイマ２３により計測された取得時刻とともに画像処理部１７を介して静止画情報記憶部２９に入力される。また、静止画情報記憶部２９においては、各静止画像が入力されるごとにその静止画カウント数が計数される。これにより、静止画情報記憶部２９において、各静止画像が取得時刻および静止画カウント数と関連付けられて静止画情報として記憶される。
【００４０】
制御部２１においては、動画情報記憶部２７に記憶される動画情報の動画フレームカウント数と、静止画情報記憶部２９に記憶される静止画情報の静止画カウント数とが記録テーブルに記録される（ステップＳＡ５）。これにより、制御部２１において、動画フレームカウント数と静止画カウント数とにより、動画情報記憶部２７の各動画情報と静止画情報記憶部２９の各静止画情報とを動画フレームの撮影時刻と静止画像の取得時刻との関係において関連付けることができる。
【００４１】
制御部２１において、動画フレームカウント数および静止画カウント数が記録されると、すべての撮影が終了したか否かが判断される（ステップＳＡ６）。ステップＳＡ６において、引き続きシャッタボタン１３が押されると（ステップＳＡ６「ＮＯ」）、ステップＳＡ３に戻って再び連写撮影が行なわれ、ステップＳＡ３〜ステップＳＡ５の動作が繰り返される。
【００４２】
一方、シャッタボタン１３が押されずに、操作部９の動画撮影ボタンがＯＦＦに切替えられると、制御部２１においてすべての撮影が終了したと判断される（ステップＳＡ６「ＹＥＳ」）。これにより、制御部２１により動画情報記憶部２７が制御されて、動画情報の記憶が停止される（ステップＳＡ７）。さらに、操作部９において連写撮影モードから単写撮影モードに切り替えられたり、電源１１がＯＦＦにされたりすると、制御部２１により撮像光学系５や撮像素子１５等が制御されて、連写撮影モードの撮影が終了する（ステップＳＡ８）。
【００４３】
次に、本実施形態に係るカメラ１の動画情報の再生および静止画像の選択時の動作を、図６のフローチャート図および図７を用いて詳細に説明する。
操作部９において、動画情報の再生および静止画像の選択を行なう再生／選択モードが入力されると、制御部２１の動画再生機能、フレーム指定機能および静止画像選択機能の作動により、再生／選択モードが開始される（ステップＳＢ１）。
【００４４】
まず、制御部２１の動画再生機能より動画情報記憶部２７が制御されて、動画情報記憶部２７に記憶されている動画情報が表示部７に出力される。表示部７においては、複数の動画情報が連続表示されることにより動画情報の再生が開始される（ステップＳＢ２）。具体的には、図７（ａ）に示すように、撮影時刻順に各動画フレームが連続表示される。同図において、各動画フレームの数字は動画フレームカウント数を示している。また、動画フレームカウント数♯３は、空白の動画フレームを示している。
【００４５】
続いて、制御部２１のフレーム指定機能により、表示部７において再生されている動画フレームのいずれかがユーザに選択されたか否かが判断される（ステップＳＢ３）。ステップＳＢ３において、いずれの動画フレームも選択されない場合には（ステップＳＢ３「ＮＯ」）、いずれかの動画フレームが選択されるまで動画情報の再生が繰り返される。
【００４６】
一方、図７（ｂ）に示すように、ユーザにより、例えば動画フレームカウント数♯４の動画フレームが選択されて、操作部９からその選択信号が制御部２１に入力されると（ステップＳＢ３「ＹＥＳ」）、制御部２１により表示部７が制御されて動画情報の再生が一時停止される（ステップＳＢ４）。この場合に、表示部７においては、選択された動画フレームカウント数♯４の動画フレームが表示される。
【００４７】
続いて、制御部２１の静止画像選択機能により、記録テーブルに記録されている静止画カウント数のうち、選択された動画情報の動画フレームカウント数♯４に一番近い静止画カウント数の検索が行なわれる（図７（ｃ）参照）。具体的には、上述のように、制御部２１において、動画フレームカウント数および静止画カウント数が動画フレームの撮影時刻と静止画像の取得時刻との関係において関連付けられるので、選択された動画フレームの撮影時刻に一番近い取得時刻の静止画像の静止画カウント数が検索される。
【００４８】
制御部２１により、例えば静止画カウント数♯３が検索されると、静止画情報記憶部２９が制御されて、検索された静止画カウント数♯３の静止画情報が表示部７に送られる。これにより、表示部７において、ユーザによって選択された動画フレームカウント数に一番近い静止画像を表示することができる（ステップＳＢ５）。
【００４９】
続いて、制御部２１においては、表示部７において表示されている静止画像がユーザにより最終的に選択されるか否かが判断される（ステップＳＢ６）。具体的には、制御部２１において、表示部７に表示されている静止画像に対して、操作部９によりキャンセルが入力されるとその静止画像は最終選択されないと判断され、操作部９によりＯＫが入力されるとその静止画像は最終選択されたと判断される。
【００５０】
ステップＳＢ６において、静止画カウント数♯３の静止画像が最終選択されないと（ステップＳＢ６「ＮＯ」）、ステップＳＢ３に戻ってスタップＳＢ３〜ステップＳＢ５の動作が繰り返される。一方、静止画カウント数♯３の静止画像が最終選択されると（ステップＳＢ６「ＹＥＳ」）、制御部２１により静止画情報記憶部２９が制御されて、最終選択された静止画像の静止画情報がサムネイル画像作成部２５に出力される。
【００５１】
サムネイル画像作成部２５においては、図７（ｄ）に示すように、静止画情報記憶部２９から送られた静止画情報に基づいて、最終選択された静止画カウント数♯３の静止画像のサムネイル画像が作成される（ステップＳＢ７）。これにより、動画フレームと静止画像とが完全に一致しない場合であっても、サムネイル画像作成部２５において、所望の静止画像に対応するサムネイル画像のみを作成することができる。
【００５２】
サムネイル画像作成部２５においてサムネイル画像が作成されると、図７（ｅ）に示すように、制御部２１により、選択された静止画カウント数♯３の静止画像およびそのサムネイル画像が図示しない外部記録媒体に書き込まれて保存される（ステップＳＢ８）。
【００５３】
ステップＳＢ８において、選択された静止画カウント数♯３の静止画像およびそのサムネイル画像が外部記録媒体に保存されると、制御部２１により、動画情報記憶部２７および静止画情報記憶部２９に記憶されているすべての動画情報および静止画情報が削除される（ステップＳＢ９）。
【００５４】
また、制御部２１においては、記録テーブルに記録した動画フレームカウント数および静止画カウント数が削除されるとともに、動画再生機能、フレーム指定機能および静止画像選択機能の作動が停止されて、再生／選択モードが終了する（ステップＳＢ１０）。
【００５５】
以上説明したように、本実施形態に係るカメラ１によれば、動画情報と静止画情報とを、動画フレームの撮影時刻と静止画像の取得時刻との関係において関連付けることができる。そして、各静止画像が動画の撮影期間中に取得されるので、動画フレームの撮影時刻と静止画像の取得時刻とが近似すれば撮影シーンにおいても動画フレームと静止画像とが近似する可能性が高い。したがって、動画フレームを選択することにより、その動画フレームの撮影シーンに近似する静止画像を選択することが可能になる。
【００５６】
これにより、従来のように、静止画像を選択するためのサムネイル画像が不要になり、最終的に選択された静止画像についてのみサムネイル画像を作成すればよく、使用しないサムネイル画像の作成にかかる労力と時間とを省くことができる。すなわち、従来すべての画像についてサムネイル画像を作成していたのと比較して、サムネイル画像の作成労力の低減および作成時間の短縮を図ることができる。
【００５７】
なお、本実施形態に係るカメラ１は、以下のように変形することができる。
例えば、本実施形態に係るカメラ１は、動画情報が動画フレーム、動画フレームカウント数および撮影時刻を含み、静止画情報が静止画像、静止画カウント数および取得時刻を含むことを例示して説明したが、これに代えて、動画情報が動画フレーム、撮影開始時刻、動画用フレームレートおよび動画フレームカウント数を含み、静止画情報が静止画像、取得開始時刻、静止画用フレームレートおよび静止画カウント数を含むこととしてもよい。
【００５８】
この場合、タイマ２３は、動画フレームの撮影時刻については操作部９の動画撮影ボタンが押されたときから計測を開始し、静止画像の取得時刻についてはシャッタボタン１３押されたときから計測を開始することとすればよい。このようにすることで、動画フレームの撮影開始時刻および動画用フレームレートに基づいて各動画フレームの撮影時刻を算出するとともに、静止画像の取得開始時刻および静止画用フレームレートに基づいて各静止画像の取得時刻を算出することができる。
【００５９】
〔第２の実施形態〕
次に、本発明の第２の実施形態に係るカメラについて説明する。
本実施形態に係るカメラ１０１は、図８に示すように、カメラ本体１０３が、動画情報を生成する動画用撮像素子１１５と静止画情報を生成する静止画用撮像素子１１６とを備える点で、第１の実施形態と異なる。
以下、第１の実施形態に係るカメラ１と構成を共通する箇所には、同一符号を付して説明を省略する。
【００６０】
本実施形態に係るカメラ１０１は、シャッタボタン１３が押されない状態では、動画用撮像素子１１５が撮像光学系５により結像された被写体の像を撮影して動画フレームを取得し、シャッタボタン１３が押されると、動画用撮像素子１１５から静止画用撮像素子１１６に切り替えられて、静止画用撮像素子１１６により静止画像が取得されるようになっている。
また、動画用撮像素子１１５の動画用フレームレートは、静止画用撮像素子１１６の静止画用フレームレートの整数倍に設定されるようになっている。
【００６１】
このように構成された本実施形態に係るカメラ１０１の作用ついて説明する。
本実施形態に係るカメラ１０１を起動させると、撮像光学系５により動画用撮像素子１１５の撮像面に結像される被写体の像が動画用撮像素子１１５によって撮影され、各フレームデータが動画用撮像素子１１５から画像処理部１７へ出力される。これにより、ユーザは被写体を動画用撮像素子１５を介して表示部７に表示される画像によって見ることができる。
【００６２】
単写撮影モードにおいては、この状況でシャッタボタン１３が押されると、制御部２１により、動画用撮像素子１１５から静止画用撮像素子１１６に切り替えられて、適正露光になるように撮像光学系５および静止画用撮像素子１１６等が制御されて、静止画用撮像素子１１６により静止画像が取得される。静止画用撮像素子１１６により取得された静止画像は、画像処理部１７を介して記憶部１９の静止画情報記憶部２９に記憶されるとともに表示部７に送られて一時的に表示される。
【００６３】
一方、操作部９において連写撮影モードに切り替えられると、制御部２１においては、入力された連写撮影条件に基づいて撮像光学系５や動画用撮像素子１１５等が制御され、動画用撮像素子１１５により動画用フレームレートに基づいて動画フレームが順次取得される。
【００６４】
続いて、操作部９の動画撮影ボタンがＯＮにされると、動画用撮像素子１１５により取得された動画フレームが画像処理部１７を介して動画情報記憶部２７に入力され、撮影時刻および動画フレームカウント数と関連付けられて動画情報としての記憶が開始される。
【００６５】
この状況でシャッタボタン１３が押されると、制御部２１により動画用撮像素子１１５による動画フレームの取得から静止画用撮像素子１１６による静止画像の取得に切り替えられ、シャッタボタン１３が押されている間、連写撮影ごとに静止画用フレームレートに基づいて被写体の像が撮影されて、複数の静止画像が取得される。
【００６６】
この場合に、上述したように動画用撮像素子１１５の動画用フレームレートが静止画用撮像素子１１６の静止画用フレームレートの整数倍に設定されているので、例えば、図９に示すように、動画情報の撮影時刻と静止画情報の取得時刻とを同期させるだけで、制御部２１において、動画フレームカウント数と静止画カウント数とを記録テーブルに関連付けて記録することができる。
【００６７】
以上説明したように、本実施形態に係るカメラ１０１によれば、動画情報の撮影時刻と静止画情報の取得時刻とを同期させるだけで、動画フレームカウント数と静止画カウント数とを関連付けることができ、迅速かつ簡易に静止画像を選択することが可能になる。また、静止画用撮像素子１１６において静止画像が取得される際に動画用撮像素子１１５においても動画フレームが撮影されるので、動画フレームを選択することにより、ユーザが選択した動画フレームと同一の撮影シーンの静止画像を選択することができる。
【００６８】
なお、本実施形態において、図１０に示すように、動画情報の撮影時刻と静止画情報の取得時刻とが同期しない場合であっても、制御部２１により、動画フレームカウント数と静止画カウント数とを動画フレームの撮影時刻と静止画像の取得時刻との関係において関連付けて記録することができる。また、この場合においても、静止画用撮像素子１１６において静止画像が取得される際に動画用撮像素子１１５においても動画フレームが撮影されるので、撮像素子が１つの場合に比べて、ユーザが選択した動画フレームにより近似する撮影シーンの静止画像を選択することができる。
【００６９】
また、本実施形態においては、カメラ１０１が撮像光学系５および画像処理部１７をそれぞれ１つずつ備えることとしたが、これに代えて、動画用撮像素子１１５に接続される動画用の撮像光学系および画像処理部と、静止画用撮像素子１１６に接続される静止画用の撮像光学系および画像処理部をそれぞれ備えることとしてもよい。
【００７０】
以上、本発明の実施形態について図面を参照して詳述してきたが、具体的な構成はこの実施形態に限られるものではなく、本発明の要旨を逸脱しない範囲の設計変更等も含まれる。
例えば、上記各実施形態においては、動画情報を単に動画情報記憶部２７に記憶させることとしたが、例えば、動画情報に予め圧縮処理を施して圧縮後の動画情報を記憶させることとしてもよい。
また、上記各実施形態においては、静止画像の選択において、１枚の静止画像を選択することを例示して説明したが、複数の静止画像を選択して外部記録媒体に保存させることとしてもよい。
【図面の簡単な説明】
【００７１】
【図１】本発明の第１の実施形態に係るカメラを前面から見た概略構成図である。
【図２】図１のカメラを背面から見た概略構成図である。
【図３】図１のカメラを上方から見た概略構成図である。
【図４】本発明の第１の実施形態に係るカメラの概略構成を示すブロック図である。
【図５】図１のカメラの連写撮影時の動作を示すフローチャート図である。
【図６】図１のカメラの動画情報の再生および静止画像の選択時の動作を示すフローチャート図である。
【図７】図７（ａ）は動画情報の再生の様子を示し、図７（ｂ）は選択した動画フレームを示し、図７（ｃ）は記録テーブルによる検索を示し、図７（ｄ）は最終選択した静止画像とそのサムネイル画像を示し、図７（ｅ）は選択したデータの保存と選択されなかったデータの削除を示す図である。
【図８】本発明の第２の実施形態に係るカメラの概略構成を示すブロック図である。
【図９】図８のカメラの動画フレームと静止画像とが同期する様子を示す図である。
【図１０】図８のカメラの動画フレームと静止画像とが同期しない様子を示す図である。
【符号の説明】
【００７２】
１  カメラ
２７  動画情報記憶部
２９  静止画情報記憶部
【図１】
2009071464.tif 000003
【図２】
2009071464.tif 000004
【図３】
2009071464.tif 000005
【図４】
2009071464.tif 000006
【図５】
2009071464.tif 000007
【図６】
2009071464.tif 000008
【図７】
2009071464.tif 000009
【図８】
2009071464.tif 000010
【図９】
2009071464.tif 000011
【図１０】
2009071464.tif 000012